(57)【要約】【課題】容器本体内の錠剤を確実に規定個数ずつ取り出すことができる錠剤入り容器を提供する。【解決手段】表面に錠剤の取り出し孔２が形成された扁平な容器本体３と、取り出し孔２を開閉する開閉蓋４と、を備える錠剤入り容器であって、容器本体３内に、この容器本体３の表面に沿って延在するとともに、一端が開口し、かつ他端が閉塞した錠剤通路１３が配設され、錠剤通路１３には、その他端部に位置し、規定個数の錠剤を収容する計量室１４と、前記一端の開口１５から計量室１４に向けて錠剤を導く導入通路１６と、を区画する区画壁１７が備えられ、取り出し孔２は、計量室１４に対向して形成され、計量室１４内に収容された錠剤に前記一端側から当接し、かつ区画壁１７の先端上に位置する他の錠剤の重心が、区画壁１７よりも前記一端側にずれるようにした。【選択図】図１
2014091526.tif 000002
【特許請求の範囲】
【請求項１】
表面に錠剤の取り出し孔が形成された扁平な容器本体と、
前記取り出し孔を開閉する開閉蓋と、を備える錠剤入り容器であって、
前記容器本体内に、この容器本体の表面に沿って延在するとともに、一端が開口し、かつ他端が閉塞した錠剤通路が配設され、
前記錠剤通路には、その他端部に位置し、規定個数の錠剤を収容する計量室と、前記一端の開口から前記計量室に向けて錠剤を導く導入通路と、を区画する区画壁が備えられ、
前記取り出し孔は、前記計量室に対向して形成され、
前記計量室内に収容された錠剤に前記一端側から当接し、かつ前記区画壁の先端上に位置する他の錠剤の重心が、前記区画壁よりも前記一端側にずれるようになっていることを特徴とする錠剤入り容器。
【請求項２】
前記錠剤通路の導入通路における少なくとも前記一端側の端部の通路幅は、前記他端側から漸次広くなっていることを特徴とする請求項１に記載の錠剤入り容器。
【発明の詳細な説明】
【技術分野】
【０００１】
本発明は、錠剤入り容器に関する。
【背景技術】
【０００２】
表面に錠剤の取り出し孔が形成された扁平な容器本体と、取り出し孔を開閉する開閉蓋と、を備える錠剤入り容器が従来から知られている（例えば特許文献１参照）。このような錠剤入り容器では、容器本体を振ったり、傾斜させたりする等のユーザの操作に応じて、容器本体に形成された取り出し孔から錠剤を取り出すことが可能となっている。
【先行技術文献】
【特許文献】
【０００３】
【特許文献１】特開２００３−２８５８８６号公報
【発明の概要】
【発明が解決しようとする課題】
【０００４】
しかしながら、前記従来の錠剤入り容器では、容器本体内の錠剤を確実に規定個数ずつ取り出せるようにすることに改善の余地があった。
【０００５】
本発明は係る実情に鑑みてなされたものであり、容器本体内の錠剤を確実に規定個数ずつ取り出すことができる錠剤入り容器を提供することを目的とする。
【課題を解決するための手段】
【０００６】
上記課題の解決手段として、本発明は、表面に錠剤の取り出し孔が形成された扁平な容器本体と、前記取り出し孔を開閉する開閉蓋と、を備える錠剤入り容器であって、前記容器本体内に、この容器本体の表面に沿って延在するとともに、一端が開口し、かつ他端が閉塞した錠剤通路が配設され、前記錠剤通路には、その他端部に位置し、規定個数の錠剤を収容する計量室と、前記一端の開口から前記計量室に向けて錠剤を導く導入通路と、を区画する区画壁が備えられ、前記取り出し孔は、前記計量室に対向して形成され、前記計量室内に収容された錠剤に前記一端側から当接し、かつ前記区画壁の先端上に位置する他の錠剤の重心が、前記区画壁よりも前記一端側にずれるようになっていることを特徴とする。
【０００７】
本発明では、計量室内に収容された錠剤に一端側から当接し、かつ区画壁の先端上に位置する他の錠剤の重心が、区画壁よりも錠剤通路の一端の開口側にずれるようになっているので、計量室に収容された錠剤を取り出そうとユーザが容器本体を傾斜させた場合等に、前記他の錠剤が自重によって錠剤通路の一端の開口側に戻り易くなる。
このため、計量室に収容された規定個数の錠剤を取り出し孔から取り出そうとする際に、これら規定個数の錠剤に追加されて前記他の錠剤が取り出し孔から出てしまうことが抑制されるので、容器本体内の錠剤を確実に規定個数ずつ取り出すことができる。
【０００８】
また、錠剤入り容器においては、前記錠剤通路の導入通路における少なくとも前記一端側の端部の通路幅は、前記他端側から漸次広くなっていてもよい。
この場合、錠剤を錠剤通路内に導入し易くすることができる。
【発明の効果】
【０００９】
本発明によれば、容器本体内の錠剤を確実に規定個数ずつ取り出すことができる。
【図面の簡単な説明】
【００１０】
【図１】本発明の第１の実施形態に係る錠剤入り容器の平面図である。
【図２】図１のＡ−Ａ線に沿う第１の実施形態に係る錠剤入り容器の縦断面図である。
【図３】第１の実施形態に係る錠剤入り容器の容器本体下側半部の平面図である。
【図４】図３のＲで示した領域の拡大図である。
【図５】本発明の第２の実施形態に係る錠剤入り容器の平面図である。
【図６】第２の実施形態に係る錠剤入り容器の容器本体下側半部の平面図である。
【発明を実施するための形態】
【００１１】
以下、図面を参照し、本発明の各実施形態に係る錠剤入り容器ついて説明する。
【００１２】
＜第１の実施形態＞
図１及び図２に示すように、本発明の第１の実施形態に係る錠剤入り容器１は、表面に錠剤の取り出し孔２が形成されるとともに、その内部に複数の錠剤Ｃを収容可能とされた扁平な容器本体３と、取り出し孔２を開閉する開閉蓋４と、を備えている。本実施形態において、容器本体３は長円形状に形成され、容器本体３における長軸Ｌ１方向の一端部に開閉蓋４がヒンジ５を介して連結されている。
【００１３】
なお、以下の説明では、容器本体３の表面側を「上」とし、その反対側を「下」とし、図中には、上下方向をＺ方向で示す。また、容器本体３における長円形状の長軸Ｌ１に沿う方向のうち、ヒンジ５側を「前」とし、その反対側を「後」とする。また、図中Ｌ２は、長円形状の容器本体３の短軸方向を示している。
【００１４】
容器本体３は、平面視でそれぞれ長円形状をなす下側半部６と上側半部７とを備え、下側半部６の外周部に形成された二重壁状の嵌合壁部８に、上側半部７の外周部に形成された被嵌合壁９を嵌合させることで構成されている。上側半部７の前端にヒンジ５を介して開閉蓋４が連結されており、上側半部７の表面（上面）には、前端から後方に向けて延びる浅底状の蓋収容凹部１０が形成され、この蓋収容凹部１０に、円形の取り出し孔２が形成されている。
【００１５】
図２の二点鎖線で示すように、開閉蓋４が閉状態とされた際には、開閉蓋４の表面が、上側半部７における蓋収容凹部１０が形成された領域以外の領域の表面に面一となるように構成されている。また、閉状態で下方を向く開閉蓋４の裏面には、取り出し孔２に嵌合（遊嵌）される円筒状の封止部１１が突設されている。
【００１６】
また、開閉蓋４の裏面における封止部１１の内側には平面視で十字状のリブ１２が突設され、開閉蓋４が閉状態の際は、リブ１２の直下に位置する錠剤Ｃが上方に移動することが規制される。
【００１７】
図３には、容器本体３における上側半部７を、下側半部６から取り外した状態の容器本体３の平面図が示され、同図に示されるようにして、容器本体３内には複数の錠剤Ｃが収容される。本実施形態では、容器本体３に収容される錠剤Ｃが、横断面で円形の扁平形状のものとされている。
【００１８】
容器本体３内には、容器本体３の表面に沿って延在するとともに、一端が開口し、かつ他端が閉塞した錠剤通路１３が配設されている。本実施形態において錠剤通路１３は、図２及び図３に示されるように、下側半部６の上面に突設されている。
【００１９】
錠剤通路１３には、閉塞する前記他端部に位置し、規定個数（本実施形態では１個）の錠剤Ｃを収容する計量室１４と、その前記一端で開口する開口１５から計量室１４に向けて錠剤Ｃを導く導入通路１６と、これら計量室１４と導入通路１６とを錠剤Ｃが通過可能なように区画する区画壁１７と、が備えられている。
【００２０】
本実施形態において、計量室１４は、後方に向けて開放するように下側半部６の前端部における中央部に配設されている。さらに詳しくは、計量室１４を画成する計量壁部１４Ａが平面視で後方に向けて開口するＣ字状に形成され、その内側に計量室１４が画成されている。このＣ字状をなす計量壁部１４Ａの一方の周端部１４Ｂは、長軸Ｌ１に沿って延在し、かつ他方の周端部１４Ｃは、短軸Ｌ２方向の外側に向けて突の曲面状に形成されている。計量室１４の収容面積（体積）は、本実施形態では１個より多くの錠剤Ｃを収容不能な大きさとされている。
【００２１】
また、導入通路１６は、計量壁部１４Ａの両周端部１４Ｂ，１４Ｃに各別に一体に接続して錠剤Ｃが通過可能な空間を形成しながら、両周端部１４Ｂ，１４Ｃから離れるに従い通路幅が次第に広くなるように形成されている。導入通路１６を画成する壁部のうち、計量壁部１４Ａの他方の周端部１４Ｃに連結する他方側壁部１６Ｃは、短軸Ｌ２方向に沿って延在し、計量壁部１４Ａの一方の周端部１４Ｂに連結する一方側壁部１６Ｂは、前側部分１６ＢＦが長軸Ｌ１に沿って延在し、かつ後側部分１６ＢＲが短軸Ｌ２に沿って延在するように形成されている。また、導入通路１６を画成する壁部のうち、開口１５を形成する、一方側壁部１６Ｂ及び他方側壁部１６Ｃそれぞれの開放端部は、後方に向くようにやや湾曲して形成されている。ここで、図１に示すように、取り出し孔２は、計量室１４に収容された錠剤Ｃの全域にわたって、錠剤Ｃと対向するように形成されている。
【００２２】
そして、区画壁１７は、計量室１４を画成する計量壁部１４Ａにおける他方の周端部１４Ｃと、導入通路１６を画成する他方側壁部１６Ｃとの連結部分に連結され、短軸Ｌ２方向に沿って延在し、錠剤通路１３の内側に向けて突出している。この区画壁１７の先端と、計量壁部１４Ａの一方の周端部１４Ｂと導入通路１６を画成する一方側壁部１６Ｂの前側部分１６ＢＦと、の間に、錠剤Ｃが通過可能な空間が形成されている。
【００２３】
ここで、図４に示されるように、錠剤入り容器１では、計量室１４に１個の錠剤Ｃ１が収容された場合に、導入通路１６を通り、錠剤Ｃ１に開口１５側から当接し、かつ区画壁１７の先端上に位置する他の錠剤Ｃ２の重心Ｇ２が、区画壁１７よりも開口１５側にずれるようになっている。
【００２４】
詳しくは、図４において、直線Ｌ３は、区画壁１７の延在方向の延長線を示すが、錠剤入り容器１では、前記他の錠剤Ｃ２の重心Ｇ２が、直線Ｌ３よりも、開口１５側にずれるようにして、計量室１４内への進入が規制されるようになっている。
なお、本実施形態において、円形の錠剤Ｃの重心は、その横断面において中央に位置するものである。
【００２５】
以上のような錠剤入り容器１では、典型的に、錠剤Ｃを取り出し孔２から取り出そうとする際、ユーザは、容器本体３を適宜振る等して、計量室１４に錠剤Ｃを収容させ、取り出し孔２が下方に向くように傾斜させることで、錠剤Ｃを取り出すように用いる。
【００２６】
この場合に、図４で示したように、計量室１４に錠剤Ｃ１が規定個数収容された状態で、錠剤Ｃ１に開口１５側から当接し、かつ区画壁１７の先端上に位置する他の錠剤Ｃ２の重心Ｇ２が、区画壁１７よりも開口１５側にずれるようになっている。
したがって、計量室１４に収容された錠剤Ｃ１を取り出そうとユーザが容器本体３を傾斜させた場合に、他の錠剤Ｃ２が自重によって錠剤通路１３の一端の開口１５側に戻り易くなる。
【００２７】
このため、この錠剤入り容器１では、計量室１４に収容された規定個数の錠剤Ｃ１を取り出し孔２から取り出そうとする際に、規定個数の錠剤Ｃ１に追加されて他の錠剤Ｃ２が取り出し孔２から出てしまうことが抑制されるので、容器本体３内の錠剤を確実に規定個数ずつ取り出すことができる。
【００２８】
また、本実施形態の錠剤入り容器１では、錠剤通路１３の導入通路１６における少なくとも開口１５側の端部の通路幅が、錠剤通路１３の閉塞する他端側から漸次広くなっているので、錠剤Ｃを錠剤通路１３内に導入し易くなっている。
【００２９】
＜第２の実施形態＞
本発明の第２の実施形態に係る錠剤入り容器１’について図５及び図６を用いて説明する。なお、第１の実施形態と同一の構成要素については同一符号で示し、説明は省略する。
【００３０】
本実施形態では、符号２３で示す錠剤通路の形状が、第１の実施形態の錠剤通路１３と異なっている。本実施形態の錠剤通路２３は、下側半部６の嵌合壁部８のうちの内側に位置する内周壁と協働で、容器本体３の表面に沿って延在するとともに、一端が開口し、かつ他端が閉塞した、錠剤Ｃが通過する空間を形成している。
【００３１】
錠剤通路２３には、閉塞する前記他端部に位置し、本実施形態では２個である規定個数の錠剤Ｃを収容する計量室２４と、その前記一端で開口する開口２５から計量室２４に向けて錠剤Ｃを導く導入通路２６と、これら計量室２４と導入通路２６とを錠剤Ｃが通過可能なように区画する区画壁２７と、が備えられている。
【００３２】
本実施形態において、計量室２４は、後方に向けて開放するように下側半部６の前端部の中央に配設されている。詳しくは、本実施形態において計量室２４は、嵌合壁部８のうちの内側に位置する内壁の前部右側の部位と、下側半部６に突設された計量壁部２４Ａとの協働で画成されている。そして、嵌合壁部８の前部右側の部位と計量壁部２４ＡとがＣ字状をなしている。このＣ字状の一方の周端部２４Ｂは、嵌合壁部８のうちの内側に位置する内壁の前部右側の部位によって構成され、他方の周端部２４Ｃは計量壁部２４Ａに形成され、この他方の周端部２４Ｃは、短軸Ｌ２方向の外側に向けて突の曲面状に形成されている。なお、計量壁部２４Ａにおける周端部２４Ｃの反対側の端部は、嵌合壁部８のうちの内側に位置する内壁の前部右側の部位に短軸Ｌ２に沿って近接している。また、計量室２４の収容面積（体積）は、本実施形態では２個より多くの錠剤Ｃを収容不能な大きさとされている。
【００３３】
また、導入通路２６は、一方の周端部２４Ｂに近接して延びるとともに、他方の周端部２４Ｃに接続して延び、錠剤Ｃが通過可能な空間を形成しながら両周端部２４Ｂ，２４Ｃから離れるに従い通路幅が次第に広くなるように形成されている。導入通路２６を画成する壁部のうち、計量壁部２４Ａの他方の周端部２４Ｃに連結する他方側壁部２６Ｃは、短軸Ｌ２方向に沿って延在し、周端部２４Ｂから延びる一方側壁部２６Ｂは、前側部分２６ＢＦが長軸Ｌ１に沿って延在し、かつ後側部分２６ＢＲが短軸Ｌ２に沿って延在するように形成されている。また、導入通路２６を画成する壁部のうち、開口２５を形成する、一方側壁部２６Ｂ及び他方側壁部２６Ｃそれぞれの開放端部は、後方に向くようにやや湾曲して形成されている。ここで、図５に示すように、取り出し孔２は、計量室２４に収容された錠剤Ｃと対向するように形成されている。
【００３４】
そして、本実施形態では、計量室２４に対向するように形成された取り出し孔２が、短軸Ｌ２方向に沿った長円形状に形成され、計量室２４に収容された２個の錠剤Ｃを、取り出し孔２を通して外側に露出させる大きさに形成されている。なお、封止部やリブの形状も第１の実施形態と異なるが、図示から明らかであり、詳しい説明は省略する。
【００３５】
そして、区画壁２７は、計量室２４を画成する計量壁部２４Ａにおける他方の周端部２４Ｃと、導入通路２６を画成する他方側壁部２６Ｃとの連結部分に連結され、短軸Ｌ２方向に沿って延在し、錠剤通路２３の内側に向けて突出している。そして、本実施形態では、この区画壁２７の先端と、導入通路２６を画成する一方側壁部２６Ｂの前側部分２６ＢＦと、の間に、錠剤Ｃが通過可能な空間が形成されている。
【００３６】
ここで、本実施形態における錠剤入り容器１’においても、計量室２４に２個の錠剤Ｃ１が収容された場合に、導入通路２６を通り、錠剤Ｃ１に開口２５側から当接し、かつ区画壁２７の先端上に位置する他の錠剤Ｃ２の重心Ｇ２が、区画壁２７よりも開口２５側にずれるようになっている。
【００３７】
詳しくは、図６において、直線Ｌ３’は、区画壁２７の延在方向の延長線を示すが、前記他の錠剤Ｃ２の重心Ｇ２が、直線Ｌ３’よりも、開口２５側にずれるようにして、計量室２４内への進入が規制されるようになっている。
【００３８】
以上のような錠剤入り容器１’においても、計量室２４に収容された規定個数の錠剤Ｃ１を取り出し孔２から取り出そうとする際に、これら規定個数の錠剤Ｃ１に追加されて他の錠剤Ｃ２が取り出し孔２から出てしまうことが抑制されることになるので、容器本体３内の錠剤を確実に規定個数ずつ取り出すことができる。
【００３９】
以上、本発明に係る錠剤入り容器の各実施形態について説明したが、本発明は上記した実施の形態に限定されるものではなく、その趣旨を逸脱しない範囲で適宜変更可能である。
【００４０】
例えば、第１及び第２の実施形態では、導入通路１６又は導入通路２６が、計量室１４又は計量室２４に接続して錠剤Ｃが通過可能な空間を形成しながら、短軸Ｌ２に沿って延びる構成を説明したが、導入通路１６又は導入通路２６は、計量室１４又は計量室２４に接続して真直ぐ後方に延びるような形状であってもよく、その形状は、特段限定されるものではない。
【００４１】
また、第１の実施形態では、計量室１４に１個の錠剤Ｃが収容可能であり、第２の実施形態では、計量室２４に２個の錠剤が収容可能である例を説明したが、計量室に３個以上の錠剤Ｃが収容可能である構成であってもよい。
【００４２】
また、第１及び第２の実施形態では、容器本体３を長円形状と説明したが、円形や矩形状であってもよい。
また、第１及び第２の実施形態では、錠剤通路１３又は錠剤通路２３が、容器本体３内において前部側に形成される例を説明したが、他の位置に形成されても構わない。また、錠剤通路１３又は錠剤通路２３は、下側半部６に形成されるものとしたが、上側半部７に形成されるようにしてもよい。
【００４３】
また、第１及び第２の実施形態では、開閉蓋４がヒンジ５で容器本体３に連結されるが、開閉蓋４は、着脱可能に容器本体３に連結されるものであってもよい。
【００４４】
また、第１及び第２の実施形態では、容器本体３内に収容される錠剤Ｃを、横断面で円形の扁平形状のものと説明したが、このような形状は限定されるものではなく、例えば、球状や、横断面が矩形状のものや三角形状のもの等であってもよく、計量室に規定個数の錠剤が収容された状態で、導入通路に進入した錠剤の重心が区画壁よりも開口側に位置するようにすれば、錠剤の形状は特に限定されるものではない。
【符号の説明】
【００４５】
１，１’  錠剤入り容器
２  取り出し孔
３  容器本体
４  開閉蓋
１３，２３  錠剤通路
１４，２４  計量室
１５，２５  開口
１６，２６  導入通路
１７，２７  区画壁
【図１】
2014091526.tif 000003
【図２】
2014091526.tif 000004
【図３】
2014091526.tif 000005
【図４】
2014091526.tif 000006
【図５】
2014091526.tif 000007
【図６】
2014091526.tif 000008